(57)【特許請求の範囲】
【請求項１】
トラクタの連結部材に装着する機枠と、この機枠に根菜掘り取り部を設け、ついで、抜き取り後の根菜を連続して積載搬送する作業台車を前記機枠の側部に連結した牽引桿によって牽引するトラクタ用根菜類掘り取り装置の作業台車において、
作業台車を根菜掘り取り部の側面に折曲可能に構成した折曲部を設け、
前記折曲部は牽引桿の中途部に折曲部を設けて先端部と基部を構成し、前記折曲部は水平方向と垂直方向にそれぞれ回動軸を設けるとともに作業台車は掘り取り部に対して左右のいずれにも折曲可能で折曲した作業台車の外縁が前記トラクタの進行方向に対して前記掘り取り部の後端から垂直な線上よりも前方に来るように折曲可能なことを特徴としたトラクタ用根菜類掘り取り機の作業台車。
【請求項２】
折曲部はトラクタ後輪と作業台車支持輪の輪距のほぼ中央に位置した請求項１記載のトラクタ用根菜類掘り取り機の作業台車。
【請求項３】
折曲部の下部に自在輪を設置し、且つ少なくとも一方の回動軸にはピローボールが組みこまれている請求項１又は２に記載のトラクタ用根菜類掘り取り機の作業台車。
【請求項４】
作業台車は牽引桿の基部に対して後方に尻下がりに傾斜する手段を設けて積載コンテナを自重降下可能にした請求項１乃至３のいずれか１項に記載のトラクタ用根菜類掘り取り機の作業台車。
【発明の詳細な説明】
【技術分野】
【０００１】  本発明は、トラクタに装着するごぼうや長いも等の比較的長径の根菜掘り取り装置の作業台車の改良の関する。
【背景技術】
【０００２】ごぼうや長いも等の長径の根菜は地中７０ｃｍ〜１ｍ２０ｃｍと深く生育し、その根菜自体の重量も嵩み掘り取り搬送は重労働となる。この重量物である根菜の掘り取り機械と、圃場からの搬送手段については種々検討がなされてきた。例えば特開平８−８９０４０号「根菜類収穫機」は、トラクタの３点リンクに装着する機枠と、機枠に掘り取り部を具備した根菜掘り取り機であって、一対の搬送体によって挟持し根菜を抜き取り、抜き取り後に根菜はシュートを経由して、前記機枠に連結する運搬台車に整列貯留する技術（特許文献１）である。
一方、大型圃場で大規模な面積で収穫するポテトピッカー、オニオンピッカーの収穫機としては実公平７−１５３９２号「農作物収穫機」が知られ、トラクタに牽引する農作物の収容タンクを備える収穫機を収穫部と収容タンク部とに２分割して、後方の収容タンク部を２本の油圧シリンダーによって遠隔操作して旋回をするもので、機体全体の回転半径を小さくする構成であるとともに、特に作業ステップをスライド自在にして後退方向に付勢するバネを設けたコンパクトな構成に掛かるもので畝間に対する走行性や、収穫したコンテナの搬出の簡易化に対する改良技術（特許文献２）が提案されている。
【先行技術文献】
【特許文献】
【０００３】
【特許文献１】特許出願公開平８−８９０４０号公報
【特許文献２】実公平７−１５３９２号公報
【発明の概要】
【発明が解決しようとする課題】
【０００４】  前記特許文献１で提案されている運搬車は、掘り取り部が掘り取った根菜の姿勢を整列して送り込む、シューターの下部に跨ぐように配置され補助員が根菜を束ねるための簡易な運搬作業台である。運搬台は装着機枠の一側に牽引桿が連結されている構成であり、非作業時の移動時は運搬台部分をチェーンによって吊持して持ち上げる、いわゆるトラクタ作業機の半直送構成であるので、掘り取った根菜は一束ごとに圃場に仮置きをしておくので別途のまとめ搬出する作業が必要になり、大規模圃場には適さない。
また特許文献２においては収穫機（ポテトピッカー）を収穫部と収容タンク部とを２分割して、収容タンク部を２本の油圧シリンダーによって旋回を遠隔操作する構成であるが、トラクタの運転席に専用の油圧制御機器を配置するなど大掛かりな設備を必要とする。また、根菜の掘り取り始めには運搬台車の長さ分の掘り取り不能の畝（枕地）が発生する。【０００５】そこで本発明は従来の問題を解決するために、収穫作業開始時の枕地を増やすことなく、掘り取り抜き上げた根菜を連続して、コンテナに貯留積載可能として収穫根菜を圃場の外までコンテナごと搬出する根菜掘り取り装置の新規な作業台車の構成を提供することにある。
【課題を解決するための手段】
【０００６】
前記目的を達成する為に、請求項１記載のトラクタの連結部材に装着する機枠と、
この機枠に根菜掘り取り部を設け、ついで、抜き取り後の根菜を連続して積載搬送する作業台車を前記機枠の側部に連結した牽引桿によって牽引するトラクタ用根菜類掘り取り装置の作業台車において、
作業台車を根菜掘り取り部の側面に折曲可能に構成した折曲部を設け、
前記折曲部は牽引桿の中途部に折曲部を設けて先端部と基部を構成し、前記折曲部は水平方向と垂直方向にそれぞれ回動軸を設けるとともに作業台車は掘り取り部に対して左右のいずれにも折曲可能で折曲した作業台車の外縁が前記トラクタの進行方向に対して前記掘り取り部の後端から垂直な線上よりも前方に来るように折曲可能なことを特徴としたトラクタ用根菜類掘り取り機の作業台車である。
また請求項２記載の折曲部はトラクタ後輪と作業台車支持輪の輪距のほぼ中央に位置した請求項１記載のトラクタ用根菜類掘り取り機の作業台車である。
また請求項３記載の折曲部の下部に自在輪を設置し、且つ少なくとも一方の回動軸にはピローボールが組みこまれている請求項１又は２に記載のトラクタ用根菜類掘り取り機の作業台車である。
また請求項４記載の作業台車は牽引桿の基部に対して後方に尻下がりに傾斜する手段を設けて積載コンテナを自重降下可能にした請求項１乃至３のいずれか１項に記載のトラクタ用根菜類掘り取り機の作業台車である。
【発明の効果】
【０００７】本発明は根菜類の掘り取り開始に圃場に導入した時、作業台車が掘り取り部の側面に屈折して折りたたまれるので、作業台車の長さ分の枕地を必要としないので、掘り取りの出来ないデッドスペースが発生せず、効率よく掘り取り作業と貯留搬送が可能となった。
また圃場間の狭い農道移動であっても、トラクタの走行輪と略同一軌跡になるので脱輪も無くスムーズな移動が出来る。また折曲部の自在輪の旋回作用とピローボールは圃場地面の不整地のねじれやたわみ作用も吸収して作業台車の走行性が安定する。また掘り取り収穫作業においてコンテナが満載の都度、作業台車を後方に傾斜させてコンテナの自重を利用して圃場に降ろすだけなので、連続して効率的な掘り取り作業が続けられる。
【図面の簡単な説明】
【０００８】
【図１】は本発明を実施した全体平面図
【図２】は全体側面図
【図３】は牽引桿部の平面説明図
【図４】は牽引桿部の側面図
【図５】は折曲部の断面説明図
【図６】は作業台車の平面図
【図７】は作業台車の側面図
【図８】は掘り取り開始時の説明図
【図９】は作業台車からコンテナを降ろす説明図
【図１０】は農道などの移動旋回説明図
【発明を実施するための形態】
【０００９】  本発明の実施形態はトラクタの連結部材に装着する機枠と、この機枠に根菜掘り取り部を設け、ついで、抜き取り後の根菜を連続して積載搬送する作業台車を前記機枠の側部に連結した牽引桿によって牽引するトラクタ用根菜類掘り取り装置の作業台車において、
作業台車を根菜掘り取り部の側面に折曲可能に構成した折曲部を設けたことを特徴としたトラクタ用根菜類掘り取り機の作業台車である。
また前記牽引桿の中途部に折曲部を設けて先端部と基部を構成し、この折曲部は水平方向と垂直方向にそれぞれ回動軸を設けるとともに、折曲した作業台車の後端は掘り取り部の後端縁を越えないトラクタ用根菜類掘り取り機の作業台車である。
【実施例】
【００１０】  本発明を実施した図面に基づいて構成を説明する。
図１は本発明を実施した全体平面図を示し作業台車に２名の補助員を示している、図２はその全体側面図で掘り取り部の刃体が土中に位置している。図３は牽引桿部の平面説明図、図４は牽引桿部の側面図、図５は折曲部の断面説明図を示している。図６は作業台車の平面図、図７は作業台車の側面図、図８は圃場の境界畦の角部からの掘り取り開始時の説明図、図９は作業台車からコンテナを降ろす説明図、図１０は農道などの移動旋回説明図を示している。
図１，２の全体を示す図において、１はトラクタ、２はトラクタの作業機を連結する３点リンクを示す。５は３点リンク２に連結した機枠を示して、根菜１６を掘り出す刃体７、掘り取った根菜１６を挟持して上方へ搬送する搬送体６からなる掘り取り部３を具備してなる。８は搬送体で抜き上げた根菜を受け止めて一方へ移動する受けコンベアを示す。９は回転軸を示し、図示してないがトラクタの動力取り出し装置に連結されて搬送体６を駆動する。４は作業台車を示し、機枠５の一側部に連結された牽引桿１０によって牽引される。１１は自在輪で牽引桿１０の折曲部２１の下部に設けられている。４の作業台車にはコンテナ１３を搭載し、補助枠１５を側部に設けて標準的には２名の補助員が必要である。
掘り取り部３の刃体７は３点リンク２の上下昇降作用によって土中に刺さりこみ根菜を浮上させて、続けて搬送体６が根菜を上方へ運び、受けコンベヤ８は根菜を受けて、このとき補助員の一人は根菜を整列させながら後部のコンテナ１３に投入する。一方受けコンベヤ８から側部に移動した根菜はもう一人の補助員が補助枠１５上を利用してコンテナ１３へ整列して投入する。
図の３，４，５および１０において牽引桿１０の詳細について説明する。１７は機枠５を形成する縦板を示し、水平に横軸１８を突設して牽引桿１０のヒッチ部を構成するパイプ軸１９を嵌装する。牽引桿１０の中途部に折曲部２１を設けて先端部２０と基部２２とに２分割構成する。この折曲部２１は先端部２０の後部にＵ字状の金具と垂直軸２８からなる自在金具２６を設けてなり、前記Ｕ字金具に水平軸２７を掛け渡し、垂直軸２８との回動軸によって作業台車の基部２２を水平方向と垂直方向に回動可能に構成する。
基部２２はＬ字枠３３を形成し、フレーム枠１４の前短に設けた横ピン２３によって上下方向に回動可能である。前記した基部２２のＬ字枠３３の上方とフレーム枠１４には油圧シリンダー２４が掛け渡されている。２７は調整具を示し、掘り取り走行部に対して、作業台車４の走行角度を調整するものである。
また、継ぎ手部２１の設定位置は根菜掘り取り部３の掘り取り刃体７の後方部に設定され、作業台車は掘り取り部に対して左右方向いずれの側面にも折曲可能であり、折曲した作業台車の後端は掘り取り部３の後端縁を越えない。
また折曲部２１はトラクタ後輪と作業台車支持輪１２の輪距のほぼ中央に位置するように設定されるのが望ましく、少なくもその近傍に位置することによって図１０に示すように農道などの狭い道を走行する際にトラクタの牽引軌跡１０を沿って作業台車４の支持輪１２も同一円弧状を走るので農道を外すことがない。折曲部２１の下部に自在輪１１を設置し、且つ一方の水平軸２７にはピローボール３２が組みこまれている。ピローボール３２は牽引桿１０に対して圃場地面の不整地のねじれやたわみ作用も吸収するので作業台車４の走行性が安定する。
次に図６，７および９において作業台車４について説明する。２２は牽引桿１０の基部を示し、作業台車４の主部を形成するフレーム枠１４の前部とＬ字枠３３を介して連結されている。
Ｌ字枠３３の後端は縦ピン２５と横ピン２３によってフレーム枠１４に対して水平方向と上下方向に揺動自在に構成される。またＬ字枠３３の上方には油圧シリンダー２４が掛け渡されてその伸縮により自在輪２８を支点としてフレーム枠１４が後方に尻下がりに傾斜する。２９はローラーを示し、１３はパイプローラー１９上に位置するコンテナを示す。１２は作業台車の一対の支持輪を示す。根菜の収穫作業中にコンテナが満載になったときはトラクタのオペレータは油圧シリンダーを伸ばすとフレーム枠１４は後方に向けて尻下がりに傾斜するので図９に示すようにコンテナは自重によりパイプローラー１９上を滑動して圃場面に降下する。１５は収穫作業時に使用する補助枠で移動時は折りたたむ。
次に図８について、圃場の根菜掘り取り開始時の本装置の導入手順を説明する。３１は隣接する境界畝を示し、まずトラクタ１に本発明の掘り取り装置の作業台車４を連結して畝の端部の掘り取り予定の収穫畝に跨って導入する。このとき一旦は牽引する作業台車４の後端部まで圃場に導入し、次に、作業台車４を開放側に折曲部２１を支点として振りながらトラクタを後進して掘り取り部３の側面に折りたたみ、次いで掘り取り刃体７を畝の土中に差し込む。この時点で作業台車１３は図８に示したように掘り取り部３の一側面に折りたたまれて、作業台車４自体の長さ分の枕地は付加されていない。次いで掘り取りを続けながら次第に作業台車４はトラクタの後方に一直線に続き前記した図１，２に示した作業状態に到る。
必要によって作業台車４は図８に示した側面の対抗側に織り込むことも可能である。したがって圃場の形や、根菜の生育状態にあわせて導入位置を任意に設定できるから収穫圃場の掘り取り開始時において枕地を必要としない。
【産業上の利用可能性】
【００１２】  本発明は比較的狭い日本の農用地での特に長径で重量のある長いも、ごぼうなどの収穫作業において作業負荷を軽減すると同時に圃場の収穫、搬出効率が向上して、これからの日本国の食料自給率の拡大に貢献が期待される。
【符号の説明】
【００１３】１  トラクタ
２  ３点リンク
３  掘り取り部
４  作業台車
５  機枠
６  搬送体
７  刃体
８  受けコンベア
９  回転軸
１０  牽引桿
１１  自在輪
１２  支持論
１３  コンテナ
１４  フレーム枠
１５  補助枠
１６  根菜
１７  縦板
１８  横軸
１９  パイプ軸
２０  先端部
２１  折曲部
２２  基部
２３  横ピン
２４  油圧シリンダー
２５  縦ピン
２６  自在金具
２７  水平軸
２８  垂直軸
２９  パイプローラー
３０  トラクタ走行軌跡
３１  境界畦
３２  ピローボール
３３  Ｌ字枠
【図１】
0005743966.tif 000002
【図２】
0005743966.tif 000003
【図３】
0005743966.tif 000004
【図４】
0005743966.tif 000005
【図５】
0005743966.tif 000006
【図６】
0005743966.tif 000007
【図７】
0005743966.tif 000008
【図８】
0005743966.tif 000009
【図９】
0005743966.tif 000010
【図１０】
0005743966.tif 000011